(57)【要約】【課題】物品を容易に取り出すことができ、かつ効率よく製造できる梱包箱を提供する。【解決手段】前面板１、側面板２及び後面板３を備えた周壁を形成し、その下端から延びる底板４，５を閉じ、上端から延びる天板６，７，８を閉じて封緘し、前面板１を開いてテレビ等の物品を取り出す梱包箱において、前面板１に横方向及び縦方向の切離線９，１０を入れて、側面板２に繋がる下壁部１１を備えた箱本体１９と、この箱本体１９から分割される扉部１２とを形成し、下壁部１１と扉部１２とを重ねて、箱本体１９に扉部１２を結合する。箱本体１９と扉部１２との結合を解除するだけで、扉部１２を取り外すことができ、その開口部から物品を手前に取り出すことができる。また、効率よく材料取りして、箱本体１９と扉部１２とを同時に打ち抜くことができる。【選択図】図３
2007022605.tif 000002
【特許請求の範囲】
【請求項１】
前面板１、側面板２及び後面板３を備えた周壁を形成し、その下端から延びる底板４，５を閉じ、上端から延びる天板６，７，８を閉じて封緘し、前面板１を開いて物品を取り出す梱包箱において、前面板１に横方向及び縦方向の切離線９，１０を入れて、側面板２に繋がる下壁部１１を備えた箱本体１９と、この箱本体１９から分割される扉部１２とを形成し、下壁部１１と扉部１２とを重ねて、箱本体１９に扉部１２を結合したことを特徴とする梱包箱。
【請求項２】
請求項１に記載の梱包箱において、扉部１２の両側部に罫線ｄを介して重合片１４を形成し、重合片１４を後方へ折り曲げ、重合片１４と側面板２とを重ねて、箱本体１９に扉部１２を結合したことを特徴とする梱包箱。
【請求項３】
請求項１又は２に記載の梱包箱において、箱本体１９と扉部１２の重なり合う部分に挿通穴１５をそれぞれ設け、これらの挿通穴１５にジョイント具２０を挿通し、箱本体１９と扉部１２との位置ずれを防止して、これらを結合したことを特徴とする梱包箱。
【請求項４】
請求項１乃至３のいずれかに記載の梱包箱において、箱本体１９及び扉部１２を一枚の薄板材から同時に打抜加工して形成したことを特徴とする梱包箱。
【請求項５】
請求項４に記載の梱包箱において、薄板材の箱本体１９及び扉部１２となる部分を同時に印刷したことを特徴とする梱包箱。
【請求項６】
請求項４又は５に記載の梱包箱において、薄板材の打抜時の状態では、下壁部１１の上方に扉部１２を接して配置し、下壁部１１の高さだけ前面板１の上端罫線ａを側面板２及び後面板３の上端罫線ｂ，ｃよりも上方に位置させ、前面板１に繋がる天板６を側面板２及び後面板３に繋がる天板７，８よりも短く設定したことを特徴とする梱包箱。
【発明の詳細な説明】
【技術分野】
【０００１】
この発明は、テレビ等の商品を輸送用に梱包する梱包箱に関するものである。
【背景技術】
【０００２】
従来、テレビの輸送に使用する段ボール製梱包箱として、図５に示すようなものが使用されている。
【０００３】
この梱包箱は、前面板５１に順次繋がる一方の側面板５２、後面板５３及び他方の側面板５２を角筒状に折り曲げ、その一端の継代片５９と前面板５１とをジョイント具６０で接合して周壁を形成し、周壁各面の下端から延びる底板５４，５５を閉じ、テレビＴを収納した後、周壁各面の上端から延びる天板５６，５７を閉じて封緘するものである。
【０００４】
この梱包箱からテレビＴを取り出す際には、前面板５１の下端部を、その裏面に貼着されたカットテープ５８を引っ張って切断し、ジョイント具６０を取り外すと共に、天板５６，５７を開き、前面板５１を一端を軸に外側へ開いて、その開口部からテレビＴを手前に引き出す（下記特許文献１参照）。
【０００５】
【特許文献１】特許第３１９９６３０号公報
【発明の開示】
【発明が解決しようとする課題】
【０００６】
しかしながら、上記のような梱包箱では、開梱に際し、カットテープにより長い距離を切断しなければならず、作業に手間がかかるほか、製造に際しても、段ボールの打抜工程に加えて、カットテープの貼着工程が必要となり、コストがかかるという問題があった。
【０００７】
そこで、この発明は、物品を容易に取り出すことができ、かつ効率よく製造できる梱包箱を提供することを課題とする。
【課題を解決するための手段】
【０００８】
上記課題を解決するため、この発明は、前面板、側面板及び後面板を備えた周壁を形成し、その下端から延びる底板を閉じ、上端から延びる天板を閉じて封緘し、前面板を開いて物品を取り出す梱包箱において、前面板に横方向及び縦方向の切離線を入れて、側面板に繋がる下壁部を備えた箱本体と、この箱本体から分割される扉部とを形成し、下壁部と扉部とを重ねて、箱本体に扉部を結合したのである。
【０００９】
また、箱本体及び扉部を一枚の薄板材から同時に打抜加工して形成し、材料の使用量を削減するため、薄板材の打抜時の状態では、下壁部の上方に扉部を接して配置し、下壁部の高さだけ前面板の上端罫線を側面板及び後面板の上端罫線よりも上方に位置させ、前面板に繋がる天板を側面板及び後面板に繋がる天板よりも短く設定したのである。
【発明の効果】
【００１０】
この梱包箱では、開梱に際し、箱本体と扉部との結合を解除するだけで、カットテープ等による切断作業を行うことなく、扉部を取り外すことができ、その開口部から物品を手前に取り出すことができる。
【００１１】
また、下壁部により梱包強度も確保され、効率よく材料取りして、箱本体と扉部とを同時に打ち抜くことができ、製造コストを抑制できる。
【発明を実施するための最良の形態】
【００１２】
以下、この発明の実施形態を添付図面に基づいて説明する。
【００１３】
この梱包箱は、薄型の液晶テレビを梱包するものであり、図１に示すように、一枚の段ボール製薄板材から構成される。この薄板材では、周壁を形成する前面板１、一方の側面板２、後面板３及び他方の側面板２が順次連設され、各側面板２と前面板１、後面板３の下端には底板４，５がそれぞれ連設されている。前面板１の上端には天板６が連設され、各側面板２及び後面板３の上端には天板７，８がそれぞれ連設されている。
【００１４】
前面板１には、底板５との稜線から上方へ離れて横向きに延びる切離線９と、切離線９から側面板２との稜線に沿って上端へ至る切離線１０とが入れられ、側面板２に繋がる下壁部１１と、その上方の扉部１２とが形成されている。下壁部１１の中間部分は両端部分よりも低くなっており、下壁部１１の外端には継代片１３が連設されている。
【００１５】
前面板１の扉部１２と天板６との境界となる上端罫線ａは、下壁部１１の高さだけ側面板２及び後面板３の上端罫線ｂ，ｃよりも上方に位置し、扉部１２に繋がる天板６は、側面板２及び後面板３に繋がる天板７，８よりも短く設定され、天板６，７，８の先端がほぼ揃うようになっている。
【００１６】
扉部１２の両側部には、罫線ｄを介して重合片１４が形成され、重合片１４の上部及びその間の部分の両端下部並びに側面板２の上部には、ジョイント具を挿通する四角形の挿通穴１５が設けられている。
【００１７】
天板７の先端部には差込片１６が形成され、天板６，８には差込片１６が差し込まれる差込穴１７が設けられている。また、前面板１の扉部１２、側面板２及び後面板３には、長円形の取手穴１８が設けられている。
【００１８】
上記のような薄板材から梱包箱を製造する際には、図２に示すように、平面状態の薄板材を、前面板１の扉部１２と、それ以外の箱本体１９となる部分とに分割し、箱本体１９となる部分を、各側面板２の一側の罫線に沿って内側へ重ね合わせるように折り曲げ、継代片１３を反対側の側面板２の裏面に貼り付けて、扁平な折畳状態とする。
【００１９】
そして、この梱包箱を使用して液晶テレビを梱包する際には、箱本体１９となる部分において、図３に示すように、前面板１の下壁部１１、一対の側面板２及び後面板３を角筒状の周壁に形成し、底板４，５を折り曲げて底面を閉止することにより、箱本体１９を立体的形状に組み立て、箱本体１９に液晶テレビＴを収納する。
【００２０】
次に、同じく図３に示すように、前面板１の扉部１２の重合片１４を罫線ｄに沿って後方へ折り曲げ、図４に示すように、扉部１２の下部を箱本体１９に差し込んで、下壁部１１の内面に重ねると共に、重合片１４を側面板２の内面に重ねる。
【００２１】
その後、前面板１の扉部１２及び後面板３から延びる天板６，８を閉じ、差込片１６を差込穴１７に差し込みつつ、側面板２から延びる天板７を閉じ、一致した挿通穴１５にプラスチック製のジョイント具２０を挿通し、箱内でジョイント具２０の爪を開かせることにより、ジョイント具２０を抜け止めし、箱本体１９に扉部１２を結合して封緘すると、梱包作業が完了する。この梱包状態では、両端が側面板２に固定された下壁部１１の存在により、運搬時における箱本体１９の変形が防止され、梱包強度が確保される。
【００２２】
上記のような梱包箱では、ジョイント具２０を取り外して、箱本体１９と扉部１２との結合を解除するだけで、カットテープ等による切断作業を行うことなく、図３に示すように、扉部１２を取り外すことができ、トレーと上箱からなる梱包箱のように、上箱を持ち上げたりすることなく、前面の開口部から液晶テレビＴを手前に引き出すことができる。
【００２３】
また、箱本体１９となる部分と、前面板１の扉部１２となる部分とが一枚の薄板材から構成されているので、これらの双方の部分について印刷・打抜を同時に行うことができ、効率よく材料取りして、製造コストを抑制できる。
【００２４】
また、箱本体１９となる部分と、前面板１の扉部１２となる部分との段ボールや印刷の色目が統一されるので、デザイン上の違和感がなく、美観に優れた梱包物となり、商品のイメージを高めることができる。
【図面の簡単な説明】
【００２５】
【図１】この発明の実施形態に係る梱包箱の薄板材を示す図
【図２】同上の箱本体の折畳状態及び扉部を示す斜視図
【図３】同上の箱本体の組立状態と分離した扉部を示す斜視図
【図４】同上の箱本体に扉部を結合した梱包状態示す斜視図
【図５】従来の梱包箱の梱包状態を示す斜視図
【符号の説明】
【００２６】
１  前面板
２  側面板
３  後面板
４，５  底板
６，７，８  天板
９，１０  切離線
１１  下壁部
１２  扉部
１３  継代片
１４  重合片
１５  挿通穴
１６  差込片
１７  差込穴
１８  取手穴
１９  箱本体
２０  ジョイント具
ａ，ｂ，ｃ，ｄ  罫線
【図１】
2007022605.tif 000003
【図２】
2007022605.tif 000004
【図３】
2007022605.tif 000005
【図４】
2007022605.tif 000006
【図５】
2007022605.tif 000007